(57)【要約】生簀（１）に超音波発振端子（５）を設置し、該超音波発振端子と発振装置（４）とを接続し、前記生簀内に超音波を発生させ、該生簀内の養殖魚に寄生した体表寄生虫を除去する様構成した。
2013051725.tif 000002
【特許請求の範囲】
【請求項１】
生簀に超音波発振端子を設置し、前記生簀内に超音波を発振し、超音波によって発生するキャビテーションの作用で養殖魚に寄生した体表寄生虫の除去を行う養殖魚の衛生管理方法。
【請求項２】
生簀に超音波発振端子を設置し、該超音波発振端子と発振装置とを接続し、前記生簀内に超音波を発生させ、該生簀内の養殖魚に寄生した体表寄生虫を除去する様構成した養殖魚の衛生管理装置。
【請求項３】
前記生簀を形成する養殖網に前記超音波発振端子を設置し、陸上に前記発振装置を設置し、該発振装置と前記超音波発振端子とをケーブルで接続した請求項２の養殖魚の衛生管理装置。
【請求項４】
前記生簀が複数設置され、前記超音波発振端子に分岐ケーブルを接続し、該分岐ケーブルと前記発振装置から延出する前記ケーブルとを切替え装置を介して接続し、該切替え装置により前記超音波発振端子と前記発振装置との接続状態が決定される様構成し、前記切替え装置の操作により所望の前記超音波発振端子と前記発振装置とを接続し、所望の前記生簀に対して体表寄生虫除去を実行する様構成した請求項３の養殖魚の衛生管理装置。
【請求項５】
前記生簀が複数設置され、該生簀の上端に複数の該生簀に掛渡ってレールが設けられ、該レールに走行体が移動可能な様に設けられ、該走行体に前記超音波発振端子が取付けられ、前記走行体の移動により、前記超音波発振端子が設置される前記生簀を変更可能とした請求項２の養殖魚の衛生管理装置。
【請求項６】
前記生簀が複数設置され、前記超音波発振端子に前記分岐ケーブルを接続し、該分岐ケーブルにブイを設け、該ブイより前記分岐ケーブルの先端部を垂下させ、前記超音波発振端子を水中所定位置に保持した請求項４の養殖魚の衛生管理装置。
【請求項７】
前記生簀が複数設置され、前記超音波発振端子に分岐ケーブルを接続し、該分岐ケーブルにコネクタを設け、該コネクタを介して前記分岐ケーブルと前記ケーブルとを継断可能とした請求項３の養殖魚の衛生管理装置。
【請求項８】
前記生簀が複数設置され、該生簀に設置された前記超音波発振端子に分岐ケーブルの一端を接続し、該分岐ケーブルの他端に第１コネクタを設け、前記発振装置から延出するケーブルに前記第１コネクタと継断可能な第２コネクタを設け、前記複数の分岐ケーブルの内所望の分岐ケーブルと前記ケーブルとを前記第１コネクタ及び前記第２コネクタを介して接続可能とした請求項２の養殖魚の衛生管理装置。
【請求項９】
前記発振装置、該発振装置に電力を供給する電源を船に積載し、該船を移動させ前記所望の分岐ケーブルと前記ケーブルとを接続可能とした請求項８の養殖魚の衛生管理装置。
【請求項１０】
前記生簀が複数設置され、前記発振装置、該発振装置に電力を供給する電源、前記発振装置より延出するケーブル、該ケーブルに設けられた前記超音波発振端子が船に積載され、該船を前記所望の前記生簀迄移動させ、前記超音波発振端子を前記生簀に投入可能とした請求項２の養殖魚の衛生管理装置。
【請求項１１】
前記船が船外迄延出するビームを有し、前記ケーブルは前記ビーム先端より垂下され、前記ケーブル下端に前記超音波発振端子が保持される様構成した請求項１０の養殖魚の衛生管理装置。
【請求項１２】
前記ビームは起伏可能であると共に旋回可能であり、前記ケーブルは前記巻取ドラムを介して前記発振装置に接続され、前記ケーブルは前記巻取ドラムにより繰出し、巻取可能に構成された請求項１１の養殖魚の衛生管理装置。
【請求項１３】
複数の前記生簀により列を形成すると共に複数の列を形成し、列と列との間に水路が形成され、該水路を前記船が進行可能とし、前記ビームは船体の両側に延出し、前記水路の両側に隣接する前記生簀内に前記超音波発振端子が保持される様構成した請求項１１の養殖魚の衛生管理装置。
【発明の詳細な説明】
【技術分野】
【０００１】
本発明は、養殖魚に寄生するハダムシ等の体表寄生虫を除去する為の養殖魚の衛生管理方法及びその装置に関するものである。
【背景技術】
【０００２】
海中に養殖網を設置して生簀を形成し、生簀内で魚類の養殖を行う養殖場が普及している。養殖場で養殖される養殖魚には体表寄生虫、例えばハダムシ、エラムシが寄生する。例えばハダムシが養殖魚の体表に寄生すると、養殖魚が寄生したハダムシを落そうとして体を網に擦る等することで体を傷付けてしまい、養殖魚の製品価値が低下する為、ハダムシの駆除は重要な作業となる。
現在のハダムシの駆除は、淡水浴、過酸化水素製剤による薬浴が一般的である。淡水浴、薬浴は、生簀中の養殖魚をビニルシート等で囲い、淡水若しくは所定濃度の薬液中で所定時間泳遊させ、その後生簀に戻すものであり、大変な重労働となる。又、ハダムシは夏場が寄生頻度が高く、２週間に一度程度の駆除作業が必要となる。
この為、生簀が広範囲にわたる場合、又生簀が多数設けられている場合は、ハダムシの駆除等、養殖魚の衛生管理には、多くの人手と時間を要していた。
尚、特許文献１には、水に超音波をあて、超音波により、養殖真珠貝に於ける害虫や付着生物の駆除を行う方法が開示されており、又特許文献２には処理槽内に超音波を発生させ、害虫を死滅させる害虫駆除装置が開示されている。
本発明は斯かる実情に鑑み、人手を要さず又養殖魚に負担を掛けることなく体表寄生虫の除去を行い得る様にした養殖魚の衛生管理方法及びその装置を提供するものである。
【先行技術文献】
【特許文献】
【０００３】
【特許文献１】特公平２−４８２１１号公報
【特許文献２】特開２０００−２３２８４０号公報
【発明の開示】
【０００４】
本発明は、生簀に超音波発振端子を設置し、前記生簀内に超音波を発振し、超音波によって発生するキャビテーションの作用で養殖魚に寄生した体表寄生虫の除去を行う養殖魚の衛生管理方法に係るものである。
又本発明は、生簀に超音波発振端子を設置し、該超音波発振端子と発振装置とを接続し、前記生簀内に超音波を発生させ、該生簀内の養殖魚に寄生した体表寄生虫を除去する様構成した養殖魚の衛生管理装置に係るものである。
又本発明は、前記生簀を形成する養殖網に前記超音波発振端子を設置し、陸上に前記発振装置を設置し、該発振装置と前記超音波発振端子とをケーブルで接続した養殖魚の衛生管理装置に係るものである。
又本発明は、前記生簀が複数設置され、前記超音波発振端子に分岐ケーブルを接続し、該分岐ケーブルと前記発振装置から延出する前記ケーブルとを切替え装置を介して接続し、該切替え装置により前記超音波発振端子と前記発振装置との接続状態が決定される様構成し、前記切替え装置の操作により所望の前記超音波発振端子と前記発振装置とを接続し、所望の前記生簀に対して体表寄生虫除去を実行する様構成した養殖魚の衛生管理装置に係るものである。
又本発明は、前記生簀が複数設置され、該生簀の上端に複数の該生簀に掛渡ってレールが設けられ、該レールに走行体が移動可能な様に設けられ、該走行体に前記超音波発振端子が取付けられ、前記走行体の移動により、前記超音波発振端子が設置される前記生簀を変更可能とした養殖魚の衛生管理装置に係るものである。
又本発明は、前記生簀が複数設置され、前記超音波発振端子に前記分岐ケーブルを接続し、該分岐ケーブルにブイを設け、該ブイより前記分岐ケーブルの先端部を垂下させ、前記超音波発振端子を水中所定位置に保持した養殖魚の衛生管理装置に係るものである。
又本発明は、前記生簀が複数設置され、前記超音波発振端子に分岐ケーブルを接続し、該分岐ケーブルにコネクタを設け、該コネクタを介して前記分岐ケーブルと前記ケーブルとを継断可能とした養殖魚の衛生管理装置に係るものである。
又本発明は、前記生簀が複数設置され、該生簀に設置された前記超音波発振端子に分岐ケーブルの一端を接続し、該分岐ケーブルの他端に第１コネクタを設け、前記発振装置から延出するケーブルに前記第１コネクタと継断可能な第２コネクタを設け、前記複数の分岐ケーブルの内所望の分岐ケーブルと前記ケーブルとを前記第１コネクタ及び前記第２コネクタを介して接続可能とした養殖魚の衛生管理装置に係るものである。
又本発明は、前記発振装置、該発振装置に電力を供給する電源を船に積載し、該船を移動させ前記所望の分岐ケーブルと前記ケーブルとを接続可能とした養殖魚の衛生管理装置に係るものである。
又本発明は、前記生簀が複数設置され、前記発振装置、該発振装置に電力を供給する電源、前記発振装置より延出するケーブル、該ケーブルに設けられた前記超音波発振端子が船に積載され、該船を前記所望の前記生簀迄移動させ、前記超音波発振端子を前記生簀に投入可能とした養殖魚の衛生管理装置に係るものである。
又本発明は、前記船が船外迄延出するビームを有し、前記ケーブルは前記ビーム先端より垂下され、前記ケーブル下端に前記超音波発振端子が保持される様構成した養殖魚の衛生管理装置に係るものである。
又本発明は、前記ビームは起伏可能であると共に旋回可能であり、前記ケーブルは前記巻取ドラムを介して前記発振装置に接続され、前記ケーブルは前記巻取ドラムにより繰出し、巻取可能に構成された養殖魚の衛生管理装置に係るものである。
更に又本発明は、複数の前記生簀により列を形成すると共に複数の列を形成し、列と列との間に水路が形成され、該水路を前記船が進行可能とし、前記ビームは船体の両側に延出し、前記水路の両側に隣接する前記生簀内に前記超音波発振端子が保持される様構成した養殖魚の衛生管理装置に係るものである。
【図面の簡単な説明】
【０００５】
図１は本発明の第１の実施例を示す模式図である。
図２Ａ（Ａ），図２Ａ（Ｂ），図２Ｂ（Ｃ），図２Ｂ（Ｄ）は該実施例で用いられる超音波発振端子の設置態様を示しており、図２Ａ（Ａ）は生簀の中央に設けられた場合、図２Ａ（Ｂ），図２Ｂ（Ｃ），図２Ｂ（Ｄ）はそれぞれ生簀の養殖網に設けられた場合を示している。
図３は超音波発振端子に設けられる超音波振動子の状態を示す説明図である。
図４は本発明の第２の実施例を示す模式図である。
図５は本発明の第３の実施例を示す模式図である。
図６は本発明の第４の実施例を示す模式図である。
図７は本発明の第５の実施例を示す模式図である。
図８は本発明の第６の実施例を示す模式図である。
図９は本発明の第６の実施例の変更例を示す模式図である。
【符号の説明】
【０００６】
１              生簀
２              養殖網
３              アンカーロープ
４              発振装置
５              超音波発振端子
６              ケーブル
７              分岐ケーブル
８              切替え装置
９              超音波振動子
１１            レール
１２            走行体
１５            コネクタ
１６            コネクタ
１７            ブイ
２１            電源
２２            船
２５            ビーム
２６            巻取ドラム
【発明を実施するための最良の形態】
【０００７】
以下、図面を参照しつつ本発明の実施例を説明する。
先ず、本発明の基本原理を説明する。
液体に超音波を照射すると、液体が激しく揺さぶられて局所的に圧力が高い部分と低い部分が発生する。圧力が低い部分では液体中に小さな真空の空洞ができるが、これをキャビテーションという。再び圧力が高くなり、この空洞が押しつぶされる時に、液体中に衝撃波を発生させ、固体表面に付着していた汚れを剥離させる。
本発明では、超音波で発生するキャビテーションの作用を利用して養殖魚に寄生したハダムシ及びエラムシ等の体表寄生虫（以下ではハダムシを例として述べる）の除去を行う。
図１に於いて、第１の実施例を説明する。
図１中、１ａ，１ｂ，１ｃ，…，１ｎは生簀、２は該生簀を構成する養殖網、３は該養殖網２を固定するアンカーロープ、４は陸地の所要位置に設けられた発振装置を示し、前記各生簀毎に超音波発振端子５ａ，５ｂ，５ｃ，…，５ｎが設置される。
前記発振装置４から延出するケーブル６が、前記生簀１ａ，１ｂ，１ｃ，…，１ｎに沿って配線され、又前記ケーブル６の前記生簀１ａ，１ｂ，１ｃ，…，１ｎに対応した位置に切替え装置８ａ，８ｂ，８ｃ，…，８ｎが設けられる。該切替え装置８ａ，８ｂ，８ｃ，…，８ｎにはそれぞれ分岐ケーブル７ａ，７ｂ，７ｃ，…，７ｎが接続され、該分岐ケーブル７ａ，７ｂ，７ｃ，…，７ｎの先端には前記超音波発振端子５ａ，５ｂ，５ｃ，…，５ｎが接続される。
前記切替え装置８ａ，８ｂ，８ｃ，…，８ｎは、前記超音波発振端子５ａ，５ｂ，５ｃ，…，５ｎと前記発振装置４との接続状態を切替えるものであり、前記切替え装置８ａ，８ｂ，８ｃ，…，８ｎの操作で、前記超音波発振端子５ａ，５ｂ，５ｃ，…，５ｎのいずれか１つが前記発振装置４に接続され、又は所定数毎に前記発振装置４に接続される様になっている。又、前記切替え装置８ａ，８ｂ，８ｃ，…，８ｎは、接続状態を手動により切替えるものであってもよく、或は該切替え装置８ａ，８ｂ，８ｃ，…，８ｎが電気式の切替え器であってもよい。該切替え装置８ａ，８ｂ，８ｃ，…，８ｎが、電気式の切替え器の場合、前記発振装置４がタイマーを具備し、該タイマーからの信号に基づき前記切替え装置８ａ，８ｂ，８ｃ，…，８ｎが、所定時間毎に作動する様にしてもよい。
又、前記超音波発振端子５ａ，５ｂ，５ｃ，…，５ｎと前記発振装置４との接続状態として、例えば、前記切替え装置８ｂ，８ｃ，…，８ｎが切断状態とされ、前記切替え装置８ａが接続状態とされ、前記生簀１ａの前記超音波発振端子５ａが前記発振装置４に接続されたとする。該発振装置４からは所定の周波数が発振され、周波数信号は前記ケーブル６、前記切替え装置８ａ，８ｂ，８ｃ，…，８ｎ及び前記分岐ケーブル７ａを介して前記超音波発振端子５ａに出力され、該超音波発振端子５ａから超音波が発振される。
該超音波発振端子５ａから所定周波数の超音波が発振されることで、前記生簀１ａ内でキャビテーションが発生され、該生簀１ａ内を遊泳する養殖魚にキャビテーションによる衝撃波が作用し、養殖魚に寄生したハダムシを剥離させる。
所定時間、前記超音波発振端子５ａから所定周波数の超音波を発生させた後、前記切替え装置８ａ，８ｂ，８ｃ，…，８ｎにより、前記生簀１ｂの前記超音波発振端子５ｂと前記発振装置４とを接続し、前記超音波発振端子５ｂから所定時間、所定周波数の超音波を発生させ、ハダムシ除去を実行する。
而して、前記切替え装置８ａ，８ｂ，８ｃ，…，８ｎにより前記超音波発振端子５ａ，５ｂ，５ｃ，…，５ｎと前記発振装置４との接続を順次切替え、前記生簀１ａ，１ｂ，１ｃ，…，１ｎに対して順次超音波を発振し、ハダムシ除去を実行する。
更に、１つの該生簀１に対するハダムシ除去の実行時間及びハダムシ除去を実行する時間間隔（ハダムシ除去サイクル）は、ハダムシの発生状況に合わせて適宜設定する。
又、前記発振装置４の容量に余裕がある場合は、複数の前記超音波発振端子５を同時に前記発振装置４に接続し、複数の前記超音波発振端子５を同時に発振させてもよい。
次に、該超音波発振端子５が前記生簀１に設置される場合の設置態様について説明する。
図２Ａ（Ａ）は、前記超音波発振端子５を前記生簀１の中央に設置した場合を示しており、この場合、前記超音波発振端子５から超音波が全周方向に射出される様にする。
例えば、図３に示される様に、前記超音波発振端子５が複数（図示では５）の超音波振動子９を有し、該超音波振動子９が直方体の４側面及び下面に設けられた状態、即ち超音波の射出中心線（音軸）が水平方向に９０度ピッチとなる様に設置され、又音軸が下方に向く様に設置され、前記各超音波振動子９から直交する４方向及び下方向に超音波が射出される様にする。
尚、前記超音波振動子９の設置状態は、該各超音波振動子９から発せられる超音波の広がり角を考慮して設定され、例えば水平方向の広がり角が６０度の場合は、前記音軸の角度ピッチは６０度となる等である。又、鉛直方向の広がり角を考慮し、前記超音波発振端子５を鉛直方向に複数段設けてもよい。
更に、前記超音波発振端子５をロッド（図示せず）の下端に設け、該ロッドを垂直軸心を中心に回転する様にすれば、前記超音波振動子９は１つでもよい。
図２Ａ（Ｂ）は、前記養殖網２を直方体形状とし、前記超音波発振端子５を前記養殖網２の頂点、８箇所に設置した場合を示している。この場合、前記前記超音波発振端子５に設けられる前記超音波振動子９は、該各超音波振動子９から発せられる超音波が前記生簀１の全域をカバーする様に配設する。又、前記超音波発振端子５は、前記養殖網２が構成する直方体の４側面の所要位置、例えば側面の中央に更に設置されてもよい。
又、図２Ｂ（Ｃ）は、前記養殖網２を直方体形状とし、前記超音波発振端子５を前記養殖網２の上面を除く、４側面及び底面のそれぞれ中央に、計５箇所に設置した場合を示している。尚、この場合、前記超音波発振端子５を設置された面に沿って移動可能としてもよい。
更に、図２Ｂ（Ｄ）は、前記養殖網２を直方体形状とし、前記超音波発振端子５を前記養殖網２の頂点の８箇所及び前記養殖網２の４側面及び底面のそれぞれ中央に５箇所を設けた場合を示している。
更に、前記超音波発振端子５は上記した態様に限らず、種々の態様で設置可能なことは言う迄もなく、要は、前記超音波発振端子５によって射出された超音波で、前記生簀１の全域でキャビテーションが発生される様になっていればよい。
図４は第２の実施例を示している。第１の実施例では、超音波発振端子５を生簀１に固定的に設けたが、該超音波発振端子５を移動可能に設けてもよい。
複数の養殖網２に掛渡る様に、該養殖網２の上端縁に沿ってレール１１を設置する。尚、図示では便宜的に４の生簀１ａ，１ｂ，１ｃ，１ｎに対して実施した場合を示しており、４の前記養殖網２に掛渡る前記レール１１を示している。
該レール１１に走行体１２を走行可能な様に設置し、該走行体１２から前記超音波発振端子５を海中に水没する様に垂下し、前記走行体１２を移動させることで、１つの前記超音波発振端子５を所望のハダムシ除去対象の前記生簀１に設定できる。従って、所望の該生簀１に対してハダムシ除去が実行できる。又、前記走行体１２を異なる前記生簀１へ移動させる場合は、一旦、前記超音波発振端子５を引上げ、前記走行体１２を隣接する前記生簀１迄移動させ、前記超音波発振端子５を隣接する前記生簀１に投入する。
尚、前記超音波発振端子５から発せられる超音波が１つの前記生簀１の全域をカバーする様、前記超音波発振端子５が構成されていることは言う迄もない。又、前記走行体１２は、自走式にしてもよく、或は手動で走行させる様にしてもよい。更に、前記レール１１に設ける前記走行体１２は１台に限らず、複数台設けてもよい。
第２の実施例では、１つの前記超音波発振端子５で複数の前記生簀１に対してハダムシ除去が実行できるので、コストが低減する。
図５は、第３の実施例を示している。尚、図５中、図１中で示したものと同等のものには同符号を付しその説明を省略する。
分岐ケーブル７ａ，７ｂ，７ｃ，…，７ｎはそれぞれ切替え装置８ａ，８ｂ，８ｃ，…，８ｎを介してケーブル６に接続されている。前記分岐ケーブル７ａ，７ｂ，７ｃ，…，７ｎの下端には超音波発振端子５ａ，５ｂ，５ｃ，…，５ｎが設けられ、更に前記分岐ケーブル７ａ，７ｂ，７ｃ，…，７ｎの前記超音波発振端子５ａ，５ｂ，５ｃ，…，５ｎから所要距離離れた位置にそれぞれブイ１７が設けられる。
前記分岐ケーブル７ａ，７ｂ，７ｃ，…，７ｎの下端部が前記ブイ１７より垂下し、前記超音波発振端子５ａ，５ｂ，５ｃ，…，５ｎが海中、所定深さで保持される様に設定する。尚、前記ブイ１７は１つの前記分岐ケーブル７に対して１箇所に限らず、前記分岐ケーブル７ａ，７ｂ，７ｃ，…，７ｎの個々の浮遊状態に応じて適宜設けてもよい。
尚、前記超音波発振端子５を１つの生簀１に対して複数設ける場合は、前記各分岐ケーブル７を更に支岐ケーブル（図示せず）に分岐させ、分岐させた支岐ケーブル毎に前記超音波発振端子５、前記ブイ１７を設け、複数箇所で前記超音波発振端子５を支持する様にしてもよい。
又、前記生簀１の所要位置から、該生簀１の中心に向って延出するビームを設け、該ビームに前記分岐ケーブル７を保持し、前記ビームより前記分岐ケーブル７を垂下させてもよい。該ビームは、浮力のあるものを使用し、該ビームを水上に浮かせてもよく、或は該ビームに剛性があるものを使用し、水上より離反した位置に前記分岐ケーブル７を保持してもよい。
ここで、前記切替え装置８ａ，８ｂ，８ｃ，…，８ｎの操作で前記超音波発振端子５ａ，５ｂ，５ｃ，…，５ｎと発振装置４との接続状態を決定し、所望の前記生簀１ａ，１ｂ，１ｃ，…，１ｎに対してハダムシ除去を実行することは第１の実施例で説明したと同様である。
次に、第４の実施例では１つの前記超音波発振端子５を複数の前記生簀１で共用できる様にしたものである。
図６を参照して第４の実施例を説明する。尚、図６中、図１中で示したものと同等のものには同符号を付し、その説明を省略する。
切替え装置８ａ，８ｂ，８ｃ，…，８ｎにそれぞれコネクタ１５ａ，１５ｂ，１５ｃ，…，１５ｎを設け、又１つの分岐ケーブル７の一端にコネクタ１６を設け、該コネクタ１６は前記コネクタ１５ａ，１５ｂ，１５ｃ，…，１５ｎに対して着脱可能とする。
前記分岐ケーブル７の他端には超音波発振端子５を設け、更に前記分岐ケーブル７の前記超音波発振端子５から所要距離離れた位置にブイ１７を設け、前記分岐ケーブル７の他端部が前記ブイ１７より垂下し、前記超音波発振端子５を海中、所定深さで保持する様に設定する。尚、前記ブイ１７は所定の間隔で複数設けてもよい。
又、前記超音波発振端子５を１つの生簀１に対して複数設ける場合は、前記分岐ケーブル７を更に分岐させ、分岐させた支岐ケーブル毎に前記超音波発振端子５、前記ブイ１７を設け、複数箇所で前記超音波発振端子５を支持する様にしてもよい。
ハダムシ除去の対象となる前記生簀１に対して、例えば該生簀１ａにハダムシ除去を実行する場合、前記分岐ケーブル７の前記コネクタ１６を前記コネクタ１５ａに接続し、前記超音波発振端子５を前記生簀１ａに設置し、ハダムシ除去を実行する。
前記生簀１ａに対するハダムシ除去が完了すると、前記コネクタ１５ａから前記コネクタ１６を外して前記分岐ケーブル７を切離し、次に対象となる前記生簀１、例えば該生簀１ｂの前記コネクタ１５ｂに前記分岐ケーブル７の前記コネクタ１６を接続し、同様にして前記生簀１ｂに対してハダムシ除去を実行する。
而して、１つの前記超音波発振端子５により、複数の前記生簀１に対して順次ハダムシ除去を実行する。この場合も、前記超音波発振端子５が設けられた前記分岐ケーブル７を複数用意し、複数の前記生簀１に対して同時にハダムシ除去を実行してもよい。
又、前記切替え装置８ａ，８ｂ，８ｃ，…，８ｎにそれぞれ前記分岐ケーブル７ａ，７ｂ，７ｃ，…，７ｎを接続し、該分岐ケーブル７ａ，７ｂ，７ｃ，…，７ｎに前記コネクタ１５ａ，１５ｂ，１５ｃ，…，１５ｎを設け、該分岐ケーブル７ａ，７ｂ，７ｃ，…，７ｎに前記コネクタ１６を介して前記超音波発振端子５を接続する様にしてもよい。
第４の実施例では１つの前記超音波発振端子５でハダムシ除去が実行できるので、コストが低減する。
図７は、第５の実施例を説明する。
各生簀１ａ，１ｂ，１ｃ，…，１ｎを構成する養殖網２にそれぞれ超音波発振端子５ａ，５ｂ，５ｃ，…，５ｎを設置する、該超音波発振端子５ａ，５ｂ，５ｃ，…，５ｎの設置態様については、図２、図３に示された態様が適宜採用される。
該超音波発振端子５ａ，５ｂ，５ｃ，…，５ｎには分岐ケーブル７ａ，７ｂ，７ｃ，…，７ｎの一端が接続され、該分岐ケーブル７ａ，７ｂ，７ｃ，…，７ｎの他端にはそれぞれコネクタ１６ａ，１６ｂ，１６ｃ，…，１６ｎが接続される。該コネクタ１６ａ，１６ｂ，１６ｃ，…，１６ｎは、水上に露出する様に保持され、更に不使用時には海水に濡れない様な防水構造となっている。
発振装置４、及び該発振装置４に電力を供給する電源２１が船２２に積載される。前記発振装置４、前記電源２１は運搬可能とし、ハダムシ除去を実行する場合に前記船２２に積載される様にしてもよい。或は、前記発振装置４、前記電源２１が前記船２２に固定的に設置され、該船２２をハダムシ除去専用船としてもよい。
前記発振装置４からはケーブル６が延出し、該ケーブル６の先端にはコネクタ１５が設けられ、該コネクタ１５は前記コネクタ１６ａ，１６ｂ，１６ｃ，…，１６ｎと接続可能となっている。
ハダムシ除去を実行する場合は、前記船２２を移動させ前記生簀１ａ，１ｂ，１ｃ，…，１ｎのいずれかに隣接させ、前記コネクタ１５と前記コネクタ１６ａ，１６ｂ，１６ｃ，…，１６ｎのいずれかとを接続する。例えば、前記コネクタ１５と前記コネクタ１６ａとを接続し、前記発振装置４を駆動して前記超音波発振端子５ａから超音波を発振させ、前記生簀１ａに対してハダムシ除去を実行する。
又、前記船２２の前記ケーブル６に設けられる前記コネクタ１５を１又は２以上とし、前記コネクタ１６ａ，１６ｂ，１６ｃ，…，１６ｎに対して順次前記コネクタ１５を接続し、所要の前記超音波発振端子５ａ，５ｂ，５ｃ，…，５ｎと前記発振装置４とを接続し、１又は２以上の前記生簀１に対してハダムシ除去を実行する。終了後、前記船２２を移動させ、次の前記生簀１に対してハダムシ除去を実行する様にしてもよい。
図８は第６の実施例を示している。
第６の実施例では、船２２に発振装置４、該発振装置４を駆動する為の電源２１及び前記発振装置４にケーブル６を介して接続された超音波発振端子５が積載されたものである。
前記船２２の甲板に船外に延出するビーム２５を設ける。該ビーム２５は好ましくは、起伏可能、或は伸縮可能、更に鉛直軸心を中心に旋回可能とする。前記ケーブル６は巻取ドラム２６に巻取られ、該巻取ドラム２６を経て前記発振装置４に接続されている。
前記巻取ドラム２６から延出された前記ケーブル６は、前記ビーム２５の先端を経て垂下される。前記ケーブル６の先端には前記超音波発振端子５が設けられている。前記ケーブル６は前記巻取ドラム２６から繰出されることで、水中に没する様になっており、水中の所定深さに前記超音波発振端子５が保持された状態で、該超音波発振端子５から超音波が発振されることでハダムシ除去が実行される。
尚、前記発振装置４、前記電源２１、前記ケーブル６を運搬可能とし、該発振装置４、前記電源２１、前記ケーブル６をハダムシ除去を実行する際に前記船２２に積載してもよく、或は前記発振装置４、前記電源２１及び前記ケーブル６、前記超音波発振端子５を前記船２２に常時積載し、該船２２をハダムシ除去専用船としてもよい。
更に、前記ビーム２５は船首のみに限らず、船尾、船側等複数設けてもよい。
図９は、第６の実施例の変更例を示しており、複数の生簀１は列を形成し、更に複数の列が形成され、列と列との間に水路２３が形成される。該水路２３を前記船２２が通行可能となっている。前記ビーム２５を船体の両側方に水平又は略水平に延出したものであり、又、前記ビーム２５を前記船２２の船首、船尾等、複数箇所に設けたものである。尚、前記ビーム２５は伸縮可能に構成してもよい。
ケーブル（図示せず）の先端に超音波発振端子（図示せず）を設け、前記ビーム２５のそれぞれの先端から前記ケーブルを垂下させ、複数の前記生簀１に対して同時に前記超音波発振端子を支持し、複数の前記生簀１に対して同時にハダムシ除去を実行する様にしたものである。又、ハダムシ除去が完了すると、前記船２２を進行させ、未実行の生簀１に対してハダムシ除去を実行する。而して、前記水路２３に隣接する全ての前記生簀１に対してハダムシ除去を実行することができる。
該変更例では、複数の前記生簀１に対して同時にハダムシ除去が実行できるので、ハダムシ除去コストが低減すると共に作業効率が向上する。
又、更に他の変更例として、前記ケーブルに複数の分岐ケーブルを接続可能とし、該分岐ケーブルの先端に前記超音波発振端子を設けると共にブイを取付け、前記ケーブルに接続した前記分岐ケーブルを前記生簀１に投入し、前記超音波発振端子を前記生簀１の所要位置で、水中所定深さに垂下する様にし、複数の該生簀１に対して同時にハダムシ除去を実行してもよい。
【産業上の利用可能性】
【０００８】
本発明は、生簀に超音波発振端子を設置し、該超音波発振端子と発振装置とを接続し、前記生簀内に超音波を発生させ、該生簀内の養殖魚に寄生した体表寄生虫を除去する様構成したので、養殖魚を移し替える等の労力が必要なく、又養殖魚に負担を掛けることなく体表寄生虫の除去が行える等の優れた効果を発揮する。
【図１】
2013051725.tif 000003
【図２Ａ】
2013051725.tif 000004
【図２Ｂ】
2013051725.tif 000005
【図３】
2013051725.tif 000006
【図４】
2013051725.tif 000007
【図５】
2013051725.tif 000008
【図６】
2013051725.tif 000009
【図７】
2013051725.tif 000010
【図８】
2013051725.tif 000011
【図９】
2013051725.tif 000012
【国際調査報告】
2013051725.tif 000013
2013051725.tif 000014
2013051725.tif 000015
2013051725.tif 000016